【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
光を画像キャプチャセンサに集めるための光学システムと、前記画像キャプチャセンサと協働して前記画像キャプチャセンサに集められた前記光を電子画像に変換するようになされた画像形成回路と、を有する画像キャプチャシステムと、
変換器における音波エネルギー入射のパターンを、前記音波エネルギーのパターンを表す電子音声信号に協働して変換するようになされた変換器および音声処理回路を有する音声キャプチャシステムと、
手動キャプチャ入力および手動モード選択入力を備えたユーザ入力システムであって、前記キャプチャ入力が静止位置からキャプチャ位置に動かされたときにキャプチャ信号を生成し、複数のモード選択入力の設定のうちの１つの設定を示すモード選択信号を生成するユーザ入力システムと、
前記画像キャプチャシステムが前記キャプチャ信号に応答して少なくとも１つの画像をキャプチャするようになされたコントローラであって、さらに、開始時間に始まり終了時間に終わる音声キャプチャ時間フレーム内で、前記変換器における前記音波エネルギー入射のパターンを表す電子音声信号を前記音声キャプチャシステムがキャプチャするようになされ、さらに、前記キャプチャされた画像を前記電子音声信号に関連付けるようになされたコントローラと、
を有し、
前記コントローラは、前記モード選択に基づいて前記開始時間および前記終了時間の少なくとも１つを判定する、
ことを特徴とする画像キャプチャデバイス。
【請求項２】
光を画像キャプチャセンサに集めるための光学システムと、前記画像キャプチャセンサと協働して前記画像キャプチャセンサに集められた前記光を電子画像に変換するようになされた画像形成回路と、を有する画像キャプチャシステムと、
変換器における音波エネルギー入射のパターンを、前記音波エネルギーのパターンを表す電子音声信号に協働して変換するようになされた変換器および音声処理回路を有する音声キャプチャシステムと、
手動キャプチャ入力および手動モード選択入力を備えたユーザ入力システムであって、前記キャプチャ入力が静止位置からキャプチャ位置に動かされたときにキャプチャ信号を生成し、複数のモード選択入力の設定のうちの１つの設定を示すモード選択信号を生成するユーザ入力システムと、
前記画像キャプチャシステムに、前記キャプチャ信号が受信されたときに画像をキャプチャさせるようになされたコントローラであって、さらに、前記音声キャプチャシステムに、前記変換器における前記音波エネルギー入射をサンプリングさせて、少なくとも２つの異なるサンプリングパターンの１つに従って電子音声信号を形成させるようになされ、少なくとも２つの異なるサンプリングパターンのそれぞれは、前記少なくとも２つの画像キャプチャモード設定の異なる１つに関連付けられる、コントローラと、
を有し、
前記コントローラは、前記モード選択信号に基づいて前記サンプリングパターンを選択し、前記キャプチャ信号が受信された時間に基づいて判定される時間に、前記サンプリングパターンに従ってサンプリングを開始する、
ことを特徴とする画像キャプチャデバイス。
【請求項３】
画像キャプチャシステムおよび音声キャプチャシステムを動作させるための方法であって、
画像キャプチャの少なくとも２つのモード間の選択を検出するステップと、
前記音声キャプチャシステムによって検出された音に基づいて電子音声信号を供給するための少なくとも１つの音声キャプチャ特性を、画像キャプチャの前記選択されたモードに基づいて判定するステップと、
画像キャプチャの前記選択されたモードに従って画像をキャプチャするステップと、
前記判定された音声特性に従って、前記音声キャプチャシステムによって検出された音に基づいて電子音声信号を供給するステップと、
前記キャプチャされた画像と前記電子音声信号とを関連付けるステップと、
を有することを特徴とする方法。
【手続補正２】
【補正対象書類名】明細書
【補正対象項目名】００６３
【補正方法】変更
【補正の内容】
【００６３】
最後に、マクロモードまたはクローズアップモードなどの他のモードにおいて、音声のキャプチャには限定された利点があるだろうことが理解されよう。したがって、そのようなモードが選択された場合、コントローラ３２は、音声はキャプチャされないことを判定することができる（ステップ８２）。そのような判定が行われた場合、示されているように、画像のみがキャプチャされ（ステップ８４）、関連付けのステップは省略されるか、または関連付けのステップは、キャプチャされた画像に関連付けて、その画像に関連付けられた音声はキャプチャされなかったことを示すメタデータを単に記憶するにとどまることができる。なお、以下に付記として本発明の構成の例を示す。
（付記１）
光を画像キャプチャセンサに集めるための光学システムと、前記画像キャプチャセンサと協働して前記画像キャプチャセンサに集められた前記光を電子画像に変換するようになされた画像形成回路と、を有する画像キャプチャシステムと、
変換器における音波エネルギー入射のパターンを、前記音波エネルギーのパターンを表す電子音声信号に協働して変換するようになされた変換器および音声処理回路を有する音声キャプチャシステムと、
手動キャプチャ入力および手動モード選択入力を備えたユーザ入力システムであって、前記キャプチャ入力が静止位置からキャプチャ位置に動かされたときにキャプチャ信号を生成し、複数のモード選択入力の設定のうちの１つの設定を示すモード選択信号を生成するユーザ入力システムと、
前記画像キャプチャシステムが前記キャプチャ信号に応答して少なくとも１つの画像をキャプチャするようになされたコントローラであって、さらに、開始時間に始まり終了時間に終わる音声キャプチャ時間フレーム内で、前記変換器における前記音波エネルギー入射のパターンを表す電子音声信号を前記音声キャプチャシステムがキャプチャするようになされ、さらに、前記キャプチャされた画像を前記電子音声信号に関連付けるようになされたコントローラと、
を有し、
前記コントローラは、前記モード選択に基づいて前記開始時間および前記終了時間の少なくとも１つを判定する、
ことを特徴とする画像キャプチャデバイス。
（付記２）
付記１に記載の画像キャプチャデバイスであって、前記コントローラが画像キャプチャの時間に対して相対的なオフセット時間に基づいて前記開始時間または前記終了時間の少なくとも１つを判定し、前記オフセット時間は前記モード選択に基づいて判定され、前記コントローラは、前記モード選択入力が第１の設定に位置付けられている場合は第１のオフセット時間を使用し、前記モード選択入力が第２の設定に位置付けられている場合は第２のオフセット時間を使用し、前記第２のオフセット時間は前記第１のオフセット時間とは異なることを特徴とする画像キャプチャデバイス。
（付記３）
付記１に記載の画像キャプチャデバイスであって、前記コントローラは、さらに、前記モード選択入力が第３の設定に設定されていることを前記コントローラが判定したときに、電子音声信号をキャプチャせずに画像がキャプチャされることを可能にするようになされたことを特徴とする画像キャプチャデバイス。
（付記４）
付記１に記載の画像キャプチャデバイスであって、前記音声キャプチャシステムが先入れ先出しバッファにバッファ音声信号を一定の時間にわたって記憶しておくために動作可能な電子音声信号バッファを有し、前記コントローラが、前記音声キャプチャシステムに、前記指示されたモードによって決定される開始時間に前記バッファに音声信号を記憶させるようになされたことを特徴とする画像キャプチャデバイス。
（付記５）
付記１に記載の画像キャプチャデバイスであって、キャプチャボタンが前記静止位置と前記キャプチャ位置との中間にある位置を有し、前記コントローラが、前記キャプチャボタンがそのように位置付けられたときに信号を受信し、少なくとも１つのモードにおいて、前記コントローラが、前記音声キャプチャシステムに、前記キャプチャボタンが前記中間位置に動かされる前の一時点から始まる電子音声信号を記憶させることを特徴とする画像キャプチャデバイス。
（付記６）
付記１に記載の画像キャプチャデバイスであって、前記キャプチャボタンが前記静止位置と前記キャプチャ位置との中間にある位置を有し、前記コントローラが、前記キャプチャボタンがそのように位置付けられたときに信号を受信し、少なくとも１つのモードにおいて、前記コントローラが、前記音声キャプチャシステムに、開始時間から、画像がキャプチャされた後、前記キャプチャボタンが前記中間位置または前記静止位置に戻ることが許可された後に発生する時間まで、電子音声信号を記憶させることを特徴とする画像キャプチャデバイス。
（付記７）
付記１に記載の画像キャプチャデバイスであって、先入れ先出しバッファにバッファ音声信号を一定の時間にわたって記憶しておくために動作可能な電子音声信号バッファをさらに有し、前記コントローラが、前記開始時間および停止時間に従って、前記バッファ内のデータから選択的に前記電子音声信号を入手するようになされたことを特徴とする画像キャプチャデバイス。
（付記８）
付記１に記載の画像キャプチャデバイスであって、プロセッサが、前記画像キャプチャモードの１つにおいて、前記音声変換器に到達する音の少なくとも１つ、前記音声変換器によって供給される信号、バッファ音声信号、または電子音声信号を選択的にフィルタ処理し、前記画像キャプチャデバイスからの所定の距離で発生する音の強度を維持または増大させる一方で、前記画像キャプチャデバイスに近接した場所から発生する音の強度を低減した電子音声信号を生成するようになされたことを特徴とする画像キャプチャデバイス。
（付記９）
付記８に記載の画像キャプチャデバイスであって、前記画像キャプチャモード設定のうちの前記１つがスポーツモードであり、音声キャプチャ中または前記スポーツモードでキャプチャされた音声の処理中に音声ズーム効果が適用されることを特徴とする画像キャプチャデバイス。
（付記１０）
付記１に記載の画像キャプチャデバイスであって、前記コントローラが、１つのモードにおいて、前記画像キャプチャシステムに、前記キャプチャ信号が受信されたときまたはその頃に画像のセットをキャプチャさせるようになされ、前記音声キャプチャシステムが、先入れ先出しバッファにバッファ音声信号を一定の時間にわたって記憶しておくために動作可能な電子音声信号バッファを有し、前記コントローラが、前記音声キャプチャシステムに、前記キャプチャされた画像のセットがキャプチャされた時点に対応する開始時間または終了時間に前記バッファに前記バッファ音声信号を記憶させるようになされたことを特徴とする画像キャプチャデバイス。
（付記１１）
付記１に記載の画像キャプチャデバイスであって、前記キャプチャ入力および前記モード選択入力が、静止位置から音声付きのキャプチャ位置に、音声なしキャプチャ位置をそれらの間に挟んで移動可能な、組み合わされたキャプチャ入力とモード選択入力を有し、前記キャプチャボタンの位置を示す画像キャプチャ信号を生成することを特徴とする画像キャプチャデバイス。
（付記１２）
付記１０に記載の画像キャプチャデバイスであって、前記コントローラが、ビデオ信号をキャプチャし、前記ビデオ信号からスチル画像を抽出することにより、前記画像のセットを少なくとも部分的にキャプチャするために動作可能であることを特徴とする画像キャプチャデバイス。
（付記１３）
付記１２に記載の画像キャプチャデバイスであって、前記コントローラが、さらに、前記キャプチャされた電子音声信号を分析して、少なくとも部分的に、前記キャプチャされた音声信号の前記分析に基づいてビデオストリームからどの画像が抽出されるべきかを判定するようになされたことを特徴とする画像キャプチャデバイス。
（付記１４）
光を画像キャプチャセンサに集めるための光学システムと、前記画像キャプチャセンサと協働して前記画像キャプチャセンサに集められた前記光を電子画像に変換するようになされた画像形成回路と、を有する画像キャプチャシステムと、
変換器における音波エネルギー入射のパターンを、前記音波エネルギーのパターンを表す電子音声信号に協働して変換するようになされた変換器および音声処理回路を有する音声キャプチャシステムと、
手動キャプチャ入力および手動モード選択入力を備えたユーザ入力システムであって、前記キャプチャ入力が静止位置からキャプチャ位置に動かされたときにキャプチャ信号を生成し、複数のモード選択入力の設定のうちの１つの設定を示すモード選択信号を生成するユーザ入力システムと、
前記画像キャプチャシステムに、前記キャプチャ信号が受信されたときに画像をキャプチャさせるようになされたコントローラであって、さらに、前記音声キャプチャシステムに、前記変換器における前記音波エネルギー入射をサンプリングさせて、少なくとも２つの異なるサンプリングパターンの１つに従って電子音声信号を形成させるようになされ、少なくとも２つの異なるサンプリングパターンのそれぞれは、前記少なくとも２つの画像キャプチャモード設定の異なる１つに関連付けられる、コントローラと、
を有し、
前記コントローラは、前記モード選択信号に基づいて前記サンプリングパターンを選択し、前記キャプチャ信号が受信された時間に基づいて判定される時間に、前記サンプリングパターンに従ってサンプリングを開始する、
ことを特徴とする画像キャプチャデバイス。
（付記１５）
付記１４に記載の画像キャプチャデバイスであって、前記音声キャプチャシステムがバッファにバッファ音声信号を記憶し、前記バッファ音声信号から電子音声信号を形成するために前記サンプリングパターンが使用されることを特徴とする画像キャプチャデバイス。
（付記１６）
付記１４に記載の画像キャプチャデバイスであって、前記音声キャプチャシステムが、前記選択されたサンプリングパターンに従って音波エネルギーを前記電子音声信号に変換するプロセスを実行するようになされたことを特徴とする画像キャプチャデバイス。
（付記１７）
付記１４に記載の画像キャプチャデバイスであって、前記サンプリングパターンの少なくとも１つが、画像合成中にカメラおよび／または撮影者によって出された音の強度が前記電子音声信号内で低減されるようになされたことを特徴とする画像キャプチャデバイス。
（付記１８）
画像キャプチャシステムおよび音声キャプチャシステムを動作させるための方法であって、
画像キャプチャの少なくとも２つのモード間の選択を検出するステップと、
前記音声キャプチャシステムによって検出された音に基づいて電子音声信号を供給するための少なくとも１つの音声キャプチャ特性を、画像キャプチャの前記選択されたモードに基づいて判定するステップと、
画像キャプチャの前記選択されたモードに従って画像をキャプチャするステップと、
前記判定された音声特性に従って、前記音声キャプチャシステムによって検出された音に基づいて電子音声信号を供給するステップと、
前記キャプチャされた画像と前記電子音声信号とを関連付けるステップと、
を有することを特徴とする方法。
（付記１９）
付記１８に記載の方法であって、前記関連付けるステップが、前記電子音声信号を画像メタデータに変換し、前記画像と前記画像メタデータとを関連付けて記憶することにより行われることを特徴とする方法。
（付記２０）
付記１８に記載の方法であって、前記画像をキャプチャするステップが、ビデオ信号をキャプチャすることと前記ビデオ信号に基づいてスチル画像を供給することとを含むことを特徴とする方法。
（付記２１）
付記２０に記載の方法であって、前記音声信号を分析するステップと、前記音声信号の前記分析に基づいてスチル画像を少なくとも部分的に供給するステップとをさらに含むことを特徴とする方法。
（付記２２）
付記２０に記載の方法であって、高解像度画像のセットをキャプチャするステップをさらに含み、前記スチル画像を供給するステップは、前記キャプチャされたスチル画像および前記キャプチャされたビデオ信号に基づいて生成されるスチル画像を供給することを含むことを特徴とする方法。